(57)【要約】【課題】  ワイヤレス入出力端末１００と携帯電話機２００とをコネクタ接続することなく、携帯通信端末を充電しながら、ワイヤレス入出力端末１００のユーザ入出力部を携帯電話機２００のユーザ入出力部として機能させることを目的とする。【解決手段】  表示パネル１５、キーボード１６及びポインティング装置１７からなるユーザ入出力部と、無接点給電部２３が設けられた引出式トレイ１３とを備えたワイヤレス入出力端末１００において、無接点給電部２３の給電エリア内において携帯電話機２００を検出する給電制御部２４と、携帯電話機２００との間で無線通信を行うＲＦ部２２と、携帯電話機２００の検出結果に基づいて、表示パネル１５、キーボード１６及びポインティング装置１７からなるユーザ入出力部を制御する主制御部２０とを備え、携帯電話機２００が給電エリア内に存在する場合に、無線通信を介して、ユーザ入出力部を携帯電話機２００のユーザ入出力部として機能させる。【選択図】  図７
2014064432.tif 000002
【特許請求の範囲】
【請求項１】
ユーザ入出力部及び無接点給電部を備えたワイヤレス入出力端末において、
上記無接点給電部の給電エリア内において携帯通信端末を検出する携帯通信端末検出手段と、
上記携帯通信端末との間で無線通信を行う無線通信手段と、
上記携帯通信端末検出手段の検出結果に基づいて、上記ユーザ入出力部を制御する入出力制御手段とを備え、
上記携帯通信端末が上記給電エリア内に存在する場合に、上記無線通信を介して、上記ユーザ入出力部を上記携帯通信端末のユーザ入出力部として機能させることを特徴とするワイヤレス入出力端末。
【請求項２】
上記入出力制御手段は、上記携帯通信端末検出手段の検出結果に基づいて、上記ユーザ入出力部を携帯通信端末のユーザ入出力部として機能させる場合の開始タイミング又は終了タイミングを判別することを特徴とする請求項１に記載のワイヤレス入出力端末。
【請求項３】
上記ユーザ入出力部を、上記携帯通信端末検出手段により検出された上記携帯通信端末のユーザ入出力部として機能させることを特徴とする請求項１又は２に記載のワイヤレス入出力端末。
【請求項４】
開状態では上記ユーザ入出力部が露出し、閉状態では上記ユーザ入出力部が露出しない開閉自在の筐体を備え、
上記入出力制御手段は、上記筐体の開閉状態に基づいて、上記ユーザ入出力部を制御し、
上記筐体が閉状態である場合に、上記携帯通信端末検出手段の検出結果にかかわらず、上記ユーザ入出力部を上記携帯通信端末のユーザ入出力部として機能させないことを特徴とする請求項１〜３のいずれかに記載のワイヤレス入出力端末。
【請求項５】
上記携帯通信端末検出手段の検出結果に基づいて、外部の周辺装置を制御する周辺装置制御手段を備え、
上記携帯通信端末が上記給電エリア内に存在する場合に、上記無線通信を介して、上記周辺装置を上記携帯通信端末の周辺装置として機能させることを特徴とする請求項１〜３のいずれかに記載のワイヤレス入出力端末。
【請求項６】
開状態では上記ユーザ入出力部が露出し、閉状態では上記ユーザ入出力部が露出しない開閉自在の筐体を備え、
上記入出力制御手段は、上記筐体の開閉状態に基づいて、上記ユーザ入出力部を制御し、
上記筐体が開状態である場合に、上記周辺装置を上記携帯通信端末の周辺装置として機能させることを特徴とする請求項５に記載のワイヤレス入出力端末。
【請求項７】
上記ユーザ入出力部を構成するキーボードが設けられた薄型筐体を備え、
上記無接点給電部は、上記薄型筐体内に引き出し可能に収納され、引き出された状態で上記携帯通信端末を載置することができる引出式トレイに設けられ、
上記引出式トレイは、上記薄型筐体のユーザ側の端面の略中央から引き出されることを特徴とする請求項１〜６のいずれかに記載のワイヤレス入出力端末。
【請求項８】
上記引出式トレイは、平坦な上面を有し、引出方向の先端に上記携帯通信端末の落下を防止するための落下防止壁が形成され、上記引出方向と交差する方向には両縁部まで平坦に形成されていることを特徴とする請求項７に記載のワイヤレス入出力端末。
【請求項９】
上記引出式トレイは、上記携帯通信端末を載置した状態で、上記薄型筐体内に収容することができないことを特徴とする請求項８に記載のワイヤレス入出力端末。
【発明の詳細な説明】
【技術分野】
【０００１】
本発明は、ワイヤレス入出力端末に係り、更に詳しくは、携帯通信端末へ給電するための無接点給電部を備えた携帯通信端末用のワイヤレス入出力端末の改良に関する。
【背景技術】
【０００２】
近年、携帯電話機、タブレット型コンピュータなどの携帯通信端末が広く普及している。このような携帯通信端末は、表示パネル、キーボードなどのユーザ入出力部のサイズが小さいため、良好な操作性を確保することが難しい。特に、スマートフォンは、タッチパネル上の仮想キーボードを用いて入力しなければならず、サイズだけでなく操作感にも問題があった。
【０００３】
このため、スマートフォンに着脱可能な周辺装置として、より大型のディスプレイと物理キーボードとを有し、さらに電源供給機能も有する入出力端末が提案されている。例えば、ノートパソコンのような形状からなり、スマートフォンに対し、ディスプレイをＨＤＭＩインターフェースで接続し、物理キーボードをＵＳＢインターフェースで接続する入出力端末が提案されている。このような入出力端末は、スマートフォンとコネクタ接続して使用しなければならず、接続作業が煩雑であるという問題があった。特に、コネクタに防水カバーが取り付けられている場合が多く、この様な場合には、接続作業がより煩雑になる。
【０００４】
一方、ＷｉＦｉ  Ｄｉｓｐｌａｙのようなディスプレイ信号の無線化技術、Ｂｌｕｅｔｏｏｔｈ（登録商標）のようなキーボード信号の無線化技術、Ｑｉのようなワイヤレス給電技術などが知られている。このような技術を用いれば、コネクタ接続を行うことなく、スマートフォンを接続することができるワイヤレス入出力端末が実現可能であると考えられる。
【０００５】
しかしながら、スマートフォンに対し、外部ディスプレイや物理キーボードを無線接続する場合、無線接続の開始タイミングや終了タイミングをユーザが指示しなければならず、煩雑であるという問題もあった。また、ワイヤレス入出力端末の近くに２以上の携帯電話機がある場合、どの携帯電話機と接続するのかを指示しなければならず、煩雑であるという問題があった。
【０００６】
また、携帯電話機を引き出し部の内部に収容し、ワイヤレス給電を行うテーブルが提案されている（例えば、特許文献１）。特許文献１には、テーブルの天板に引出部（カセット）を設け、携帯電話機を入れた引出部を天板内に収容することにより、天板内において携帯電話機の非接触充電を行う構成が記載されている。
【０００７】
特許文献１のテーブルは、天板内に携帯電話機を収容した状態で充電するように構成されているため、携帯電話機及び引き出し部を収容する空間が必要になり、装置を小型化することが難しいという問題がある。また、携帯電話機の落下を防止するために、引出部の周囲は４枚の壁で囲まれ、引き出し部自体を小型化することが難しいという問題もあった。
【先行技術文献】
【特許文献】
【０００８】
【特許文献１】特開２０１１−８３４０７号公報の図６（Ａ）
【発明の概要】
【発明が解決しようとする課題】
【０００９】
本発明は、上記の事情に鑑みてなされたものであり、入出力端末と携帯通信端末とをコネクタ接続することなく、入出力端末から携帯通信端末へ給電しながら、入出力端末のユーザ入出力部を携帯通信端末のユーザ入出力部として機能させることを目的とする。また、入出力端末のユーザ入出力部を携帯通信端末に無線接続する際、当該無線接続の開始及び終了を自動化することを目的とする。さらに、このような入出力端末を小型化することを目的とする。
【課題を解決するための手段】
【００１０】
第１の本発明によるワイヤレス入出力端末は、ユーザ入出力部及び無接点給電部を備えたワイヤレス入出力端末において、上記無接点給電部の給電エリア内において携帯通信端末を検出する携帯通信端末検出手段と、上記携帯通信端末との間で無線通信を行う無線通信手段と、上記携帯通信端末検出手段の検出結果に基づいて、上記ユーザ入出力部を制御する入出力制御手段とを備え、上記携帯通信端末が上記給電エリア内に存在する場合に、上記無線通信を介して、上記ユーザ入出力部を上記携帯通信端末のユーザ入出力部として機能させるように構成される。
【００１１】
この様な構成により、携帯通信端末とのコネクタ接続を行うことなく、携帯通信端末へ給電しながら、ワイヤレス入出力端末のユーザ入出力部を携帯通信端末のユーザ入出力部として機能させることができる。また、無接点給電部の給電エリア内における携帯通信端末の検出結果に基づいてユーザ入出力部を制御することにより、携帯通信端末が給電エリア内に存在する場合には、ユーザ入出力部を携帯通信端末に無線接続し、携帯通信端末が給電エリア内に存在しない場合には、ユーザ入出力部を携帯通信端末から切り離すことができる。
【００１２】
無接点給電部は、近接して配置されたコイル間の誘導結合を利用して電力伝送を行っている。一方、無線通信手段は、アンテナを介して高周波信号の送受信を行っている。このため、無接点給電部が、携帯通信端末内のコイルとの誘導結合可能な給電エリアは、携帯通信端末と通信可能な無線通信エリアよりも十分に狭い。このため、給電エリア内における携帯通信端末の検出結果に基づいてユーザ入出力部を制御することにより、無線通信エリア内における携帯通信端末の検出結果に基づいて制御する場合に比べて、より適切な制御を行うことができる。
【００１３】
第２の本発明によるワイヤレス入出力端末は、上記構成に加えて、上記入出力制御手段が、上記携帯通信端末検出手段の検出結果に基づいて、上記ユーザ入出力部を携帯通信端末のユーザ入出力部として機能させる場合の開始タイミング又は終了タイミングを判別するように構成される。
【００１４】
この様な構成により、入出力端末のユーザ入出力部を携帯通信端末のユーザ入出力部として機能させる場合の開始タイミング又は終了タイミングを自動的に判別することができる。
【００１５】
第３の本発明によるワイヤレス入出力端末は、上記構成に加えて、上記ユーザ入出力部を、上記携帯通信端末検出手段により検出された上記携帯通信端末のユーザ入出力部として機能させるように構成される。
【００１６】
この様な構成により、無線通信エリア内に２以上の携帯通信端末が存在する場合であっても、無線通信を行うべき携帯通信端末を自動的に判別し、当該携帯通信端末のユーザ入出力部として、ワイヤレス入出力端末のユーザ入出力部を機能させることができる。
【００１７】
第４の本発明によるワイヤレス入出力端末は、上記構成に加えて、開状態では上記ユーザ入出力部が露出し、閉状態では上記ユーザ入出力部が露出しない開閉自在の筐体を備え、上記入出力制御手段が、上記筐体の開閉状態に基づいて、上記ユーザ入出力部を制御し、上記筐体が閉状態である場合に、上記携帯通信端末検出手段の検出結果にかかわらず、上記ユーザ入出力部を上記携帯通信端末のユーザ入出力部として機能させないように構成される。
【００１８】
この様な構成により、ワイヤレス入出力端末の筐体が閉状態であり、そのユーザ入出力部を使用できない場合に、当該ユーザ入出力部を携帯通信端末のユーザ入出力部として機能させるのを防止することができる。
【００１９】
第５の本発明によるワイヤレス入出力端末は、上記構成に加えて、上記携帯通信端末検出手段の検出結果に基づいて、外部の周辺装置を制御する周辺装置制御手段を備え、上記携帯通信端末が上記給電エリア内に存在する場合に、上記無線通信を介して、上記周辺装置を上記携帯通信端末の周辺装置として機能させるように構成される。
【００２０】
この様な構成により、携帯通信端末とのコネクタ接続を行うことなく、ワイヤレス入出力端末に接続されている外部の周辺装置、例えば、プリンターやスキャナを携帯通信端末に無線接続し、携帯通信端末の周辺装置として機能させることができる。また、無接点給電部の給電エリア内における携帯通信端末の検出結果に基づいて周辺装置を制御することにより、携帯通信端末が給電エリア内に存在する場合には、周辺装置を携帯通信端末に無線接続し、携帯通信端末が給電エリア内に存在しない場合には、周辺装置を携帯通信端末から切り離すことができる。
【００２１】
つまり、給電エリア内における携帯通信端末の検出結果に基づいて周辺装置を制御すれば、ワイヤレス入出力端末の周辺装置を携帯通信端末の周辺装置として機能させる場合の開始タイミング又は終了タイミングを判別することができる。
【００２２】
第６の本発明によるワイヤレス入出力端末は、上記構成に加えて、開状態では上記ユーザ入出力部が露出し、閉状態では上記ユーザ入出力部が露出しない開閉自在の筐体を備え、上記入出力制御手段は、上記筐体の開閉状態に基づいて、上記ユーザ入出力部を制御し、上記筐体が開状態である場合に、上記周辺装置を上記携帯通信端末の周辺装置として機能させるように構成される。
【００２３】
この様な構成により、ワイヤレス入出力端末の筐体が開状態の場合には、ワイヤレス入出力端末の周辺装置を携帯通信端末の周辺装置として機能させる一方、閉状態の場合には、携帯通信端末の周辺装置として機能させないようにすることができる。
【００２４】
第７の本発明によるワイヤレス入出力端末は、上記構成に加えて、上記ユーザ入出力部を構成するキーボードが設けられた薄型筐体を備え、上記無接点給電部が、上記薄型筐体内に引き出し可能に収納され、引き出された状態で上記携帯通信端末を載置することができる引出式トレイに設けられ、上記引出式トレイが、上記薄型筐体のユーザ側の端面の略中央から引き出されるように構成される。
【００２５】
このような構成により、ユーザは、薄型筐体から引出式トレイを引き出し、その引出式トレイ上に携帯通信端末を載置すれば、ワイヤレス入出力端末のユーザ入出力部を用いて、携帯通信端末を操作することができる。このため、薄型筐体のサイズを顕著に大型化させることなく、当該薄型筐体内に無接点給電部を設けることができる。また、引出式トレイは、薄型筐体の手前側端面から引き出されるため、ワイヤレス入出力端末の周囲に特別なスペースを確保する必要がない。さらに、引出式トレイは、手前側端面の略中央から引き出されるため、ユーザの手又は腕が引出式トレイと干渉しにくく、良好な操作性を確保することができる。
【００２６】
第８の本発明によるワイヤレス入出力端末は、上記構成に加えて、上記引出式トレイが、平坦な上面を有し、引出方向の先端に上記携帯通信端末の落下を防止するための落下防止壁が形成され、上記引出方向と交差する方向には両縁部まで平坦に形成されている。
【００２７】
この様な構成により、薄型筐体を机上に設置している場合に、携帯通信端末が引出式トレイの手前側から床へ落下して破損するのを防止することができる。一方、携帯通信端末は、引出式トレイから左右側にはみ出した状態で使用することができ、引出式トレイを小型化することができる。特に、様々な携帯通信端末を載置可能である場合に、最も大型の携帯通信端末によって、引出式トレイのサイズが制限されることがない。
【００２８】
第９の本発明によるワイヤレス入出力端末は、上記構成に加えて、上記引出式トレイは、上記携帯通信端末を載置した状態で、上記薄型筐体内に収容することができないように構成される。
【００２９】
この様な構成により、ワイヤレス入出力端末内に携帯通信端末を収納する場合に比べ、ワイヤレス入出力端末を小型化することができる。また、携帯通信端末の置き忘れを防止することができる。さらに、着信時に迅速に着信応答操作を行うことができる。
【発明の効果】
【００３０】
本発明によれば、ワイヤレス入出力端末と携帯通信端末とをコネクタ接続することなく、携帯通信端末へ給電しながら、ワイヤレス入出力端末のユーザ入出力部を携帯通信端末のユーザ入出力部として機能させることができる。また、ワイヤレス入出力端末のユーザ入出力部を携帯通信端末と無線接続する場合の開始タイミング又は終了タイミングを自動的に判別することができる。また、無線通信エリア内に２以上の携帯通信端末が存在する場合であっても、無線通信を行うべき携帯通信端末を自動的に判別することができる。
【００３１】
また、本発明によれば、ワイヤレス入出力端末と携帯通信端末とをコネクタ接続することなく、携帯通信端末へ給電しながら、ワイヤレス入出力端末の周辺装置を携帯通信端末の周辺装置として機能させることができる。また、ワイヤレス入出力端末の周縁装置を携帯通信端末と無線接続する場合に開始タイミング又は終了タイミングを自動的に判別することができる。
【００３２】
また、本発明によれば、キーボードを備えた薄型筐体を顕著に大型化させることなく、当該薄型筐体に無接点給電部を設けることができる。また、薄型筐体の周囲に特別なスペースを新たに確保する必要がなく、操作性を低下させることもない。さらに、携帯通信端末が引出式トレイから落下し破損するのを防止することができる。
【図面の簡単な説明】
【００３３】
【図１】本発明の実施の形態によるワイヤレス入出力端末１００の一例を示した外観図である。
【図２】引出式トレイ１３を引き出すときの様子を示した斜視図である。
【図３】引出式トレイ１３を用いて携帯電話機２００を充電している時の様子を示した斜視図である。
【図４】図１のワイヤレス入出力端末１００をＡ−Ａ切断線で切断した場合の断面図である。
【図５】操作筐体１２に対する引出式トレイ１３の取り付け位置の例を示した図である。
【図６】携帯電話機２００の充電中にキーボード１６を操作しているときの様子を示した図である。
【図７】図１のワイヤレス入出力端末１００の機能構成の要部について一例を示したブロック図である。
【図８】図３の携帯電話機２００の機能構成の要部について一例を示したブロック図である。
【図９】本実施の形態によるワイヤレス入出力端末１００の動作の一例を示したフローチャートである。
【図１０】本実施の形態によるワイヤレス入出力端末１００の動作の一例を示したフローチャートである。
【発明を実施するための形態】
【００３４】
＜ワイヤレス入出力端末１００の外観＞
図１は、本発明の実施の形態によるワイヤレス入出力端末１００の一例を示した外観図である。ここでは、ワイヤレス入出力端末１００の一例として、ノートパソコンが示されている。ノートパソコンは、折り畳み可能な薄型筐体を有する携帯可能なＰＣ（Personal Computer）であり、ともに薄型かつ矩形の平板形状からなる表示筐体１１及び操作筐体１２を開閉可能に連結して構成される。
【００３５】
図中の（ａ）には、表示筐体１１及び操作筐体１２からなる連結筐体を開状態にしたときの様子が示され、（ｂ）には、連結筐体を閉状態にしたときの様子が示されている。連結筐体は、閉状態にすれば全長が短くなり、鞄などに容易に収容できるサイズになる一方、開状態にすれば、ユーザ入出力部を設置する正面パネルとして広い面積を確保することができる。
【００３６】
ユーザ入出力部は、表示パネル１５、キーボード１６及びポインティング装置１７からなる。表示パネル１５は、画像を表示するための表示装置であり、例えば、液晶表示パネルや有機ＥＬパネルが用いられる。キーボード１６は、多数の押下キーからなる入力装置であり、例えば、横長の矩形領域内に押下キーを配列させた１０１キーボード、１０９キーボードなどのフルキーボードが用いられる。ポインティング装置１７は、タッチ操作を検出する入力装置であり、例えば、静電容量式のタッチパッドが用いられる。また、表示パネル１５は、閉状態で操作筐体１２と対向するように、表示筐体１１の正面パネルに設けられている。また、キーボード１６及びポインティング装置１７は、閉状態で表示筐体１１と対向するように、操作筐体１２の正面パネルに設けられている。つまり、ユーザ入出力装置は、連結筐体が開状態の場合には露出されるが、閉状態の場合には露出されないように配置されている。
【００３７】
また、ワイヤレス入出力端末１００は、引出式トレイ１３を備えている。引出式トレイ１３は、操作筐体１２内に引き出し可能に収容される無接点給電部である。無接点給電部は、コイル間に発生する電磁誘導を利用して、コネクタ接続を行うことなく、受電装置へ電力を伝送する装置であり、例えば、Ｑｉ規格に対応した無接点給電部を用いることができる。
【００３８】
上記無接点給電部は、給電用コイル１３ｃを内蔵し、この給電用コイル１３ｃに受電装置が有する受電用コイルを近づけることにより、両コイルを誘導結合させ、コイル間において非接触で電力伝送を行うことができるようになる。このとき、両コイルは、数ｍｍ〜数ｃｍ以下の距離になるように互いに近づける必要がある。このため、受電装置は、極めて狭い給電エリア内に配置されている必要があり、上記無接点給電部が２以上の受電装置と誘導結合されることはない。
【００３９】
＜引出式トレイ１３の構造＞
図２は、引出式トレイ１３を引き出すときの様子を示した斜視図であり、図３は、引出式トレイ１３を用いて携帯電話機２００を充電している時の様子を示した斜視図である。また、図４は、図１のワイヤレス入出力端末１００をＡ−Ａ切断線で切断した場合の断面図である。
【００４０】
図３では、携帯電話機２００として、略矩形の操作面を有する薄型筐体からなるスマートフォンが示されているが、スマートフォンは、携帯通信端末の一例であり、スマートフォン以外の携帯電話機やタブレット型情報端末などであってもよい。
【００４１】
引出式トレイ１３は、ユーザから見て、操作筐体１２の手前側の端面に設けられており、ユーザ側に向かって引き出すことができる。この引出式トレイ１３は、平坦な上面を有する略平板状のトレイ本体１３ａと、トレイ本体１３ａの引出方向の先端に形成された落下防止壁１３ｂからなる。
【００４２】
落下防止壁１３ｂは、トレイ本体１３ａの上面から上方に向かって突出させた壁面であり、携帯電話機２００が引出式トレイ１３から引出方向へ落下するのを防止するために形成されている。つまり、トレイ本体１３ａの上面は、引出方向である前後方向に関しては、操作筐体１２及び落下防止壁１３ｂの間において平坦であり、ワイヤレス入出力端末１００が机上に置かれた状態において、携帯電話機２００が引出式トレイ１３から床へ落下するのを防止している。
【００４３】
一方、トレイ本体１３ａの上面は、引出方向と交差する左右方向に関しては、壁面が形成されず、両縁部まで平坦に形成されており、一部が左右方向にはみ出した状態で、携帯電話機２００を引出式トレイ１３上に載置することができる。このため、引出式トレイ１３の幅を携帯電話機２００の長手方向の長さよりも小さくすることができる。また、無接点給電を行うためにはコイル間の位置合わせを正確に行う必要があるが、携帯電話機２００を引出式トレイ１３からはみ出した状態で載置することができれば、より小型の引出式トレイ１３を用いて、コイルの内蔵位置が異なる様々な携帯電話機２００に対応することが可能になる。
【００４４】
また、引出式トレイ１３は、引き出された状態であれば、携帯電話機２００を載置することができるが、携帯電話機２００を載置した状態のままで、操作筐体１２内に収納することはできない。つまり、操作筐体１２内には、引出式トレイ１３を収容する空間は設けられているが、携帯電話機２００を収容する空間は設けられていない。
【００４５】
このため、携帯電話機２００を収容する場合に比べ、操作筐体１２を小型化することができる。しかも、引出式トレイ１３は、手前側に落下防止壁１３ｂが設けられているが、左右方向には壁面が形成されていないため、操作筐体１２の正面パネルに設けられたポインティング装置１７と干渉することなく、ポインティング装置１７よりも背面側の操作筐体１２内に収容することができる。さらに、引出式トレイ１３の高さや幅が、携帯電話機２００の大きさによって制限されず、引出式トレイ１３を小型化することができる。すなわち、落下防止壁１３ｂの高さは、携帯電話機２００の厚さよりも低くすることもでき、引出式トレイ１３の幅は、携帯電話機２００の長さよりも短くすることができる。
【００４６】
また、携帯電話機２００は、引き出された引出式トレイ１３上に載置され、ワイヤレス入出力端末１００内に収納されないため、充電中に着信した場合でも迅速に着信応答を行うことができ、また、ユーザが携帯電話機２００を置き忘れるのを防止することができる。
【００４７】
ここでは、携帯電話機２００が、引出式トレイ１３上に横向きに載置されている。つまり、携帯電話機２００は、その長手方向が手前側端面と略平行になるように、引出式トレイ１３上に載置される。上述した通り、引出式トレイ１３の幅は、携帯電話機２００の長手方向の長さよりも短く形成することができることから、携帯電話機２００の長手方向の寸法よりも小さな引出式トレイ１３を実現することもできる。
【００４８】
＜引出式トレイ１３の位置＞
図５は、操作筐体１２に対する引出式トレイ１３の取り付け位置の例を示した図である。破線で示された取付位置の候補１３ｐ〜１３ｓは、引出式トレイ１３を操作筐体１２に取り付ける位置の候補であり、図５では、４つの候補が重畳的に示されている。取付位置の候補１３ｐは、操作筐体１２の手前側端面であり、図１〜図４の場合と同一である。取り付け位置の候補１３ｑ、１３ｒ、１３ｓは、それぞれ操作筐体１２の右側端面、左側端面、奥側端面である。
【００４９】
取付位置の候補１３ｓのように、操作筐体１２の奥側端面（後方端面）に引出式トレイ１３を設けた場合、ユーザから見て引出式トレイ１３が表示筐体１１に隠れ、携帯電話機２００を載置し、あるいは、取り上げる際の操作性が悪い。また、引出式トレイ１３上に載置した携帯電話機２００を視認することができず、心理的な不安を与えるという可能性もある。さらに、一般的なノートパソコンでは、バッテリーを操作筐体１２の奥側に配置することにより、操作筐体１２の手前側を奥側よりも薄く形成している。このため、引出式トレイ１３を操作筐体１２の奥側に取り付けようとすれば、バッテリーと干渉し、操作筐体１２を大型化させてしまう。
【００５０】
また、取付位置の候補１３ｑ，１３ｒのように、操作筐体１２の右側又は左側の端面に引出式トレイ１３を設けた場合、ワイヤレス入出力端末１００の右側又は左側に、引出式トレイ１３のためのスペースを予め確保しておく必要がある。例えば、右側又は左側の直近に壁があるような設置場所で使用することができず、また、右側又は左側の直近に机の縁部があるような机上の設置場所で使用することもできない。
【００５１】
これに対し、取付位置１３ｐのように、操作筐体１２の手前側端面に引出式トレイ１３を設けた場合、引出式トレイ１３上の携帯電話機２００を視認することができ、ユーザが不安になることはない。また、操作筐体１２の手前側にはユーザがいるため、直近に壁があることはなく、また、机上であれば、操作筐体１２の手前には手又は腕を支える程度のスペースが確保されている場合が多い。仮に手前側の直近に机の縁部があり、引出式トレイ１３が机から手前側へ突き出していたとしても、机とユーザの間にあるため、机から左右へ突き出す場合に比べれば、遙かに安全であるといえる。このため、引出式トレイ１３が設けられていない場合に比べて、ワイヤレス入出力端末１００の設置場所が制限されることはない。
【００５２】
図６は、携帯電話機２００の充電中にキーボード１６を操作しているときの様子を示した図である。キーボード１６がフルキーボードであれば、通常、ユーザは横長のキーボードに正対し、両手でキーボードを操作する。このため、引出式トレイ１３が、操作筐体１２の手前側端面の略中央、つまり、左右に顕著に偏らない位置に設けられていれば、引き出された状態の引出式トレイ１３が腕に干渉して邪魔になることはなく、キーボード１６の操作性を低下させることはない。
【００５３】
なお、図６に示されたワイヤレス入出力端末１００の設置状態、つまり、ワイヤレス入出力端末１００が机上に設置され、その手前側に机の縁部があるという場合、携帯電話機２００が、引出式トレイ１３から左右方向へ脱落しても、机上に脱落するだけであり、携帯電話機２００が破損することはない。これに対し、引出式トレイ１３から手前側へ脱落すると、床まで落下し、携帯電話機２００が破損する可能性があるため、引出式トレイ１３の手前側の先端には、落下防止壁１３ｂが設けられている。
【００５４】
＜ワイヤレス入出力端末１００の機能構成＞
図７は、図１のワイヤレス入出力端末１００の機能構成の要部について一例を示したブロック図である。このワイヤレス入出力端末１００は、表示パネル１５、キーボード１６、ポインティング装置１７、主制御部２０、開閉検出部２１、ＲＦ（Radio Frequency）部２２、無接点給電部２３、給電制御部２４、電源回路２５、充電制御部２６及び内蔵電池２７により構成される。
【００５５】
キーボード１６及びポインティング装置１７は、ユーザ入力装置であり、ユーザが操作入力を行えば、当該ユーザ操作を示す操作信号を主制御部２０へ出力する。表示パネル１５は、ユーザ出力装置であり、主制御部２０からの表示制御信号に基づいて表示を行っている。つまり、ユーザ入出力部による入出力制御は、主制御部２０によって行われている。
【００５６】
開閉検出部２１は、連結筐体の開閉状態を検出する手段であり、表示筐体１１及び操作筐体１２の連結状態が開状態又は閉状態のいずれであるのかを検出し、この検出結果を主制御部２０へ出力する。
【００５７】
ＲＦ部２２は、携帯電話機２００との無線通信を行うために、アンテナＡ１を介して高周波信号を送受信する手段であり、例えば、ＷｉＦｉ、Ｂｌｕｅｔｏｏｔｈなどに対応した近距離無線通信を行うことができる。
【００５８】
無接点給電部２３は、携帯電話機２００に対し、給電用コイルＣ１を介して、ワイヤレス給電を行う手段であり、引出式トレイ１３に内蔵されている。例えば、Ｑｉ規格に対応した給電を行う無接点給電部である。
【００５９】
給電制御部２４は、無接点給電部２３を制御する制御手段であり、携帯電話機２００が給電エリア内に存在するか否かを検出し、無接点給電部２３による給電動作を制御している。給電制御部２４による携帯電話機２００の検出は、例えば、給電用コイルＣ１のインダクタンスの変化を検出することにより行われる。
【００６０】
電源回路２５は、外部電源端子Ｔ１、給電制御部２４及び充電制御部２６間における電源制御を行っている。例えば、外部電源端子Ｔ１を介して外部電源が供給されている場合には、外部電源端子Ｔ１から給電制御部２４及び充電制御部２６へ電源を供給し、外部電源が供給されていない場合には、内部電池２７から給電制御部２４へ電源を供給する。なお、携帯電話機２００への電源供給は、外部電源が供給されている場合にのみ行われるように構成してもよい。
【００６１】
また、電源回路２５は、ワイヤレス入出力端末１００内の各回路への電源供給も制御している。例えば、外部電源端子Ｔ１を介して外部電源が供給されている場合には、外部電源端子Ｔ１から各回路へ電源を供給し、外部電源が供給されていない場合には、内部電池２７から各回路へ電源を供給する。
【００６２】
充電制御部２６は、外部電源端子Ｔ１から外部電源が供給されている場合に、内蔵電池２７の充電制御を行う手段である。内蔵電池２７は、充電可能な二次電池であり、例えば、リチウムイオン電池を用いることができる。
【００６３】
周辺装置制御部２８は、主制御部２０から周辺装置制御信号に基づいて、周辺装置接続端子Ｔ３に接続された外部の周辺装置を制御している。例えば、プリンターやスキャナを制御している。
【００６４】
＜主制御部２０＞
主制御部２０は、情報端末装置１００を構成する各ブロックを制御する制御手段であり、マイクロプロセッサがプログラムを実行することによって実現される。ここでは、携帯電話機２００の検出結果に基づく、ユーザ入出力部及び周辺装置の制御について説明する。
【００６５】
給電エリア内において携帯電話機２００が検出されない場合、主制御部２０は、キーボード１６及びポインティング装置１７からの操作入力信号に基づいて、所定の情報処理を行っている。この処理結果は、表示制御信号として表示パネル１５へ出力され、あるいは、周辺装置制御信号として周辺装置制御部２８へ出力される。このときのワイヤレス入出力端末１００の動作状態を「独立モード」と呼ぶことにする。
【００６６】
これに対し、給電エリア内において携帯電話機２００が検出された場合には、ＲＦ部２２を介して、ユーザ入出力部を携帯電話機２００に接続し、携帯電話機２００のユーザ入出力部として機能させる。また、ＲＦ部２２を介して、周辺装置制御部２８を携帯電話機２００に接続し、周辺装置接続端子Ｔ３に接続された周辺装置を携帯電話機２００の周辺装置として機能させる。つまり、このときのワイヤレス入出力端末１００は、携帯電話機２００をホストとする端末装置であり、この様な動作状態を「端末モード」と呼ぶことにする。
【００６７】
独立モード及び端末モードの切り替えは、給電エリア内に携帯電話機２００が存在するか否かの検出結果に基づいて行われる。給電エリアは十分に狭いことから、ユーザの意に反して携帯電話機２００が給電エリア内で検出されることはなく、また、２以上の携帯電話機２００が、同時に給電エリア内で検出されることもない。
【００６８】
従って、ユーザは、引出式トレイ１３上に携帯電話機２００を置くだけで、特段の指示を行わなくても、ワイヤレス入出力端末１００を独立モードから端末モードへ切り替えることができる。また、引出式トレイ１３から携帯電話機２００を取り出すだけで、特段の指示を行わなくても、ワイヤレス入出力端末１００を端末モードから独立モードへ切り替えることができる。なお、ワイヤレス入出力端末１００が、一定時間ユーザ操作がなければ表示パネル１５を消灯させて省電力状態へ移行するように構成されている場合、独立モードから端末モードへの移行時に、省電力状態を一旦解除する。
【００６９】
さらに、本実施の形態によるワイヤレス入出力端末１００では、給電エリア内において携帯電話機２００が検出された場合であっても、連結筐体の開閉状態に基づいて、動作を異ならせている。
【００７０】
連結筐体が閉状態であれば、ユーザは、ユーザ入出力部を利用することができない。このため、携帯電話機２００が検出された場合であっても、連結筐体が閉状態であれば、独立モードから端末モードへ移行させないように構成すれば、無駄なモード切替を抑制することができ、無駄な電力消費を抑制することができる。例えば、ワイヤレス入出力端末１００が、モード切替が発生するたびに省電力状態から復帰するように構成されている場合に、無駄な電力消費が発生するのを抑制することができる。つまり、携帯電話機２００が検出され、かつ、連結筐体が開状態の場合のみ、ユーザ入出力部を携帯電話機２００のユーザ入出力部として機能させるように構成してもよい。
【００７１】
さらに、本実施の形態によるワイヤレス入出力端末１００では、給電エリア内において携帯電話機２００が検出され、かつ、連結筐体が閉状態の場合であっても、携帯電話機２００からの要求に基づいて、ワイヤレス入出力端末１００の周辺装置を携帯電話機２００の周辺装置として機能させることができる。
【００７２】
ワイヤレス入出力端末１００の連結筐体が閉状態であっても、その周辺装置を携帯電話機２００から利用したい場合も考えられる。この様な場合のために、ユーザが、携帯電話機２００を操作し、携帯電話機２００からワイヤレス入出力端末１００へ周辺装置の利用要求を送信すれば、主制御部２０が、当該利用要求に基づいて、ワイヤレス入出力端末１００の周辺装置を携帯電話機２００の周辺装置として機能させるように構成することもできる。
【００７３】
＜携帯電話機２００の機能構成＞
図８は、図３の携帯電話機２００の機能構成の要部について一例を示したブロック図である。この携帯電話機２００は、主制御部３０、タッチパネル３１、ＲＦ部３２、無接点受電部３３、電源回路３４、充電制御部３５及び内蔵電池３６により構成される。
【００７４】
タッチパネル３１は、ユーザ入出力部であり、ユーザが操作入力を行えば、当該ユーザ操作を示す操作信号を主制御部３０へ出力し、主制御部３０からの表示制御信号に基づいて表示を行っている。つまり、ユーザ入出力部による入出力制御は、主制御部３０によって行われている。
【００７５】
ＲＦ部３２は、ワイヤレス入出力端末１００との無線通信を行うために、アンテナＡ２を介して高周波信号を送受信する手段であり、例えば、ＷｉＦｉ、Ｂｌｕｅｔｏｏｔｈなどに対応した近距離無線通信を行うことができる。なお、携帯電話機２００は、図示しないセルラー通信のためのＲＦ回路及びアンテナも備えている。
【００７６】
無接点受電部３３は、受電用コイルＣ２を介して、ワイヤレス入出力端末１００からワイヤレス受電を行う手段であり、例えば、Ｑｉ規格に対応した無接点受電装置である。受電用コイルＣ２は、携帯電話機２００の薄型筐体内であって、タッチパネル３１とは反対側に設けられている。
【００７７】
電源回路３４は、外部電源端子Ｔ２、無接点受電部３３及び充電制御部３５間における電源制御を行っている。例えば、受電用コイルＣ２を介して、ワイヤレス入出力端末１００から電源供給を受けている場合には、無接点受電部３３から充電制御部３５へ電源を供給し、外部電源端子Ｔ２を介して外部電源が供給されている場合には、外部電源端子Ｔ２から充電制御部３５へ電源を供給する。
【００７８】
また、電源回路３４は、携帯電話機２００内の各回路への電源供給も制御している。例えば、ワイヤレス入出力端末１００から電源供給を受けている場合には、無接点受電部３３から各回路へ電源を供給し、外部電源端子Ｔ２を介して外部電源が供給されている場合には、外部電源端子Ｔ２から各回路へ電源を供給し、いずれも供給されてない場合には、内蔵電池３６から各回路へ電源を供給する。
【００７９】
充電制御部３５は、外部電源端子Ｔ２又は無接点受電部３３から電源が供給されている場合に、内蔵電池３６の充電制御を行う手段である。内蔵電池３６は、充電可能な二次電池であり、例えば、リチウムイオン電池を用いることができる。
【００８０】
＜主制御部３０＞
主制御部３０は、携帯電話機２００を構成する各ブロックを制御する制御手段であり、マイクロプロセッサがプログラムを実行することによって実現される。ここでは、ワイヤレス入出力端末１００の動作モードに基づく、ユーザ入出力部の制御について説明する。
【００８１】
ワイヤレス入出力端末１００が独立モードである場合、ワイヤレス入出力端末１００から受電中であるか否かにかかわらず、主制御部３０は、タッチパネル３１からの操作入力信号に基づいて、所定の情報処理を行っている。この処理結果は、表示制御信号としてタッチパネル３１へ出力される。
【００８２】
これに対し、ワイヤレス入出力端末１００が端末モードである場合、主制御部３０は、タッチパネル３１に代えて、ワイヤレス入出力端末１００のユーザ入出力部を利用する。すなわち、キーボード１６及びポインティング装置１７からの操作入力信号が、ＲＦ部３２を介して入力され、主制御部３０では、当該操作入力信号に基づく所定の情報処理が行われる。この処理結果は、表示パネル１５の表示制御信号として、ＲＦ部３２を介して、ワイヤレス入出力端末１００へ出力される。
【００８３】
＜ワイヤレス入出力端末１００の動作＞
図９及び図１０のステップＳ１０１〜Ｓ１１１は、本実施の形態によるワイヤレス入出力端末１００の動作の一例を示したフローチャートであり、ユーザが携帯電話機２００を引出式トレイ１３上に載置し、給電エリア内において携帯電話機２００が検出された場合に開始される。
【００８４】
まず、無接点給電部２３によって携帯電話機２００への給電が開始される（ステップＳ１０１）。次に、ＲＦ部２２により携帯電話機２００との無線接続が確立される（ステップＳ１０２）。無接点給電部２３は、コイルＣ１，Ｃ２間の誘導結合を利用して、引出式トレイ１３上の携帯電話機２００の識別情報を取得することができる。このため、２以上の携帯電話機２００と無線接続することが可能である場合、無接点給電部２３が取得した識別情報に基づいて接続先を決定することができる。
【００８５】
次に、開閉検出部２１が連結筐体の開閉状態を検出する（ステップＳ１０３）。その結果、連結筐体が開状態であれば、ワイヤレス入出力端末１００の動作状態を端末モードへ切り替える（ステップＳ１０４）。つまり、表示パネル１５は、携帯電話機２００から無線送信された映像信号に基づいて表示を行い、キーボード１６及びポインティング装置１７からの操作入力信号を携帯電話機２００へ無線送信する。ステップＳ１０３及びＳ１０４の処理は、携帯電話機２００が検出されなくなるまで繰り返される（ステップＳ１０５）。
【００８６】
その後、ユーザが携帯電話機２００を引出式トレイ１３から取り外せば、ステップＳ１０５において携帯電話機２００が検出されなくなる。このとき、ワイヤレス入出力端末１００の動作状態は独立モードへ切り替えられ、元の動作状態に戻る（ステップＳ１０６）。その後、無線接続を切断して、一連の処理を終了する（ステップＳ１０７）。
【００８７】
一方、ステップＳ１０３において、連結筐体が閉状態であった場合には、ワイヤレス入出力端末１００の動作状態を独立モードへ切り替える（ステップＳ１０８）。ただし、ステップＳ１０３の実行前であれば、既に独立モードであるため、何も行わない。
【００８８】
ワイヤレス入出力端末１００の動作状態が独立モードである場合、携帯電話機２００から周辺装置の利用要求があれば、ワイヤレス入出力端末１００の周辺装置を携帯電話機の周辺装置として機能させる（ステップＳ１０９及びＳ１１０）。
【００８９】
その後、ステップＳ１０３及びＳ１０８〜Ｓ１１０の処理が、携帯電話機２００が検出されなくなるまで繰り返される。その後、ユーザが携帯電話機２００を引出式トレイ１３から取り外し、携帯電話機２００が検出されなくなれば、ステップＳ１０７に進む（ステップＳ１１１）。つまり、無線接続を切断して、一連の処理を終了する。
【００９０】
本発明の実施の形態によるワイヤレス入出力端末１００は、キーボード１６、ポインティングデバイス１７及び表示パネル１５からなるユーザ入出力部と、無接点給電部２３とを備えたワイヤレス入出力端末であって、無接点給電部２３の給電エリア内の携帯電話機２００を検出する給電制御部２４と、携帯電話機２００との間で無線通信を行うＲＦ部２２と、給電制御部２４の検出結果に基づいて、ユーザ入出力部を制御する主制御部２０とを備え、携帯電話機２００が給電エリア内に存在する場合に、無線通信を介して、ワイヤレス入出力端末１００のユーザ入出力部を携帯電話機２００のユーザ入出力部として機能させる。
【００９１】
この様な構成により、ワイヤレス入出力端末１００と携帯電話機２００とをコネクタ接続することなく、ワイヤレス入出力端末１００から携帯電話機２００へ給電しながら、ワイヤレス入出力端末１００のユーザ入出力部を携帯電話機２００のユーザ入出力部として機能させることができる。また、無接点給電部２３の給電エリア内における携帯電話機２００の検出結果に基づいて、ワイヤレス入出力端末１００のユーザ入出力部を制御することにより、携帯電話機２００が給電エリア内に存在する場合には、ワイヤレス入出力端末１００のユーザ入出力部を携帯電話機２００に無線接続し、携帯電話機２００が給電エリア内に存在しない場合には、携帯電話機２００から切り離すことができる。
【００９２】
また、本発明の実施の形態によるワイヤレス入出力端末１００は、主制御部２０が、携帯電話機２００の検出結果に基づいて、ユーザ入出力部を携帯電話機２００のユーザ入出力部として機能させる場合の開始タイミング又は終了タイミングを判別するように構成される。この様な構成により、ワイヤレス入出力端末１００のユーザ入出力部を携帯電話機２００のユーザ入出力部として機能させる場合の開始タイミング又は終了タイミングを自動的に判別することができる。
【００９３】
また、本発明の実施の形態によるワイヤレス入出力端末１００は、ユーザ入出力部を、給電制御部２４により検出された携帯電話機２００のユーザ入出力部として機能させるように構成される。この様な構成により、無線通信エリア内に２以上の携帯電話機２００が存在する場合であっても、無線通信を行うべき携帯電話機２００を自動的に判別し、当該携帯電話機２００のユーザ入出力部として、ワイヤレス入出力端末１００のユーザ入出力部を機能させることができる。
【００９４】
また、本発明の実施の形態によるワイヤレス入出力端末１００は、開状態ではユーザ入出力部が露出し、閉状態ではユーザ入出力部が露出しない開閉自在の筐体１１，１２を備え、主制御部２０は、筐体１１，１２の開閉状態に基づいて、ユーザ入出力部を制御し、筐体１１，１２が閉状態である場合に、携帯電話機２００の検出結果にかかわらず、ユーザ入出力部を携帯電話機２００のユーザ入出力部として機能させない。この様な構成により、ワイヤレス入出力端末１００の筐体１１，１２が閉状態であり、ワイヤレス入出力端末１００のユーザ入出力部を使用できない場合に、当該ユーザ入出力部を携帯電話機２００のユーザ入出力部として機能させるのを防止することができる。
【００９５】
また、本発明の実施の形態によるワイヤレス入出力端末１００は、給電制御部２４の検出結果に基づいて、外部の周辺装置を制御する周辺装置制御部２８を備え、携帯電話機２００が給電エリア内に存在する場合に、無線通信を介して、上記周辺装置を携帯電話機２００の周辺装置として機能させるように構成される。
【００９６】
この様な構成により、ワイヤレス入出力端末１００と携帯電話機２００とをコネクタ接続することなく、ワイヤレス入出力端末１００に接続されている外部の周辺装置、例えば、プリンターやスキャナを携帯電話機２００に無線接続し、携帯電話機２００の周辺装置として機能させることができる。また、無接点給電部２３の給電エリア内における携帯電話機２００の検出結果に基づいて周辺装置を制御することにより、携帯電話機２００が給電エリア内に存在する場合には、上記周辺装置を携帯電話機２００に無線接続し、携帯電話機２００が給電エリア内に存在しない場合には、携帯電話機２００から切り離すことができる。例えば、ワイヤレス入出力端末１００の周辺装置を携帯電話機２００の周辺装置として機能させる場合の開始タイミング又は終了タイミングを自動的に判別することができる。
【００９７】
また、本発明の実施の形態によるワイヤレス入出力端末１００は、開状態ではユーザ入出力部が露出し、閉状態ではユーザ入出力部が露出しない開閉自在の筐体１１，１２を備え、主制御部２０が、筐体１１，１２の開閉状態に基づいて、ユーザ入出力部を制御し、筐体１１，１２が開状態である場合に、周辺装置を携帯電話機２００の周辺装置として機能させる。この様な構成により、ワイヤレス入出力端末１００の筐体が開状態の場合には、ワイヤレス入出力端末１００の周辺装置を携帯電話機２００の周辺装置として機能させる一方、閉状態の場合には、携帯通信端末１００の周辺装置として機能させないようにすることができる。
【００９８】
また、本発明の実施の形態によるワイヤレス入出力端末１００は、ユーザ入出力部を構成するキーボード１６が設けられた薄型の操作筐体１２を備え、操作筐体１２内に引き出し可能に収納され、引き出された状態で携帯電話機２００を載置することができる引出式トレイ１３に無接点給電部２３が設けられ、引出式トレイ１３が、操作筐体１２のユーザ側の端面の略中央から引き出される。
【００９９】
このような構成により、ユーザは、操作筐体１２から引出式トレイ１３を引き出し、その引出式トレイ１３上に携帯電話機２００を載置すれば、ワイヤレス入出力端末１００のユーザ入出力部を用いて、携帯電話機２００を操作することができる。このため、操作筐体１２のサイズを顕著に大型化させることなく、操作筐体１２内に無接点給電部２３を設けることができる。また、引出式トレイ１３は、操作筐体１２の手前側端面から引き出されるため、ワイヤレス入出力端末１００の周囲に特別なスペースを確保する必要がない。さらに、引出式トレイ１３は、手前側端面の略中央から引き出されるため、ユーザの手又は腕が引出式トレイと干渉しにくく、良好な操作性を確保することができる。
【０１００】
また、本発明の実施の形態によるワイヤレス入出力端末１００は、引出式トレイ１３が、平坦な上面を有し、引出方向の先端に携帯電話機２００の落下を防止するための落下防止壁１３ｂが形成され、引出方向と交差する方向には両縁部まで平坦に形成されている。この様な構成により、操作筐体１２を机上に設置している場合に、携帯電話機２００が引出式トレイ１３の手前側から床へ落下して破損するのを防止することができる。一方、携帯電話機２００は、引出式トレイ１３から左右側にはみ出した状態で使用することができ、引出式トレイ１３を小型化することができる。特に、様々な携帯電話機２００を載置可能である場合に、最も大型の携帯電話機２００によって、引出式トレイ１３のサイズが制限されることがない。
【０１０１】
また、本発明の実施の形態によるワイヤレス入出力端末１００は、上記引出式トレイ１３が、携帯電話機２００を載置した状態で、操作筐体１２内に収容することができないように構成される。この様な構成により、ワイヤレス入出力端末１００内に携帯電話機２００を収納する場合に比べ、ワイヤレス入出力端末１００を小型化することができる。また、携帯電話機２００の置き忘れを防止することができる。さらに、着信時に迅速に着信応答操作を行うことができる。
【０１０２】
なお、本実施の形態では、ワイヤレス入出力端末１００が、ノートパソコンである場合の例について説明したが、本発明はこの様な場合のみに限定されない。すなわち、ワイヤレス入出力端末１００は、ノートパソコンのように、独立モードのときに情報処理装置として使用可能なものであってもよいが、携帯電話機２００の周辺装置のように、独立モードのときには情報処理装置として使用できないものであってもよい。
【符号の説明】
【０１０３】
１１    表示筐体
１２    操作筐体
１３    引出式トレイ
１３ａ  トレイ本体
１３ｂ  落下防止壁
１３ｃ  給電用コイル
１３ｐ〜１３ｓ  取付位置の候補
１５    表示パネル
１６    キーボード
１７    ポインティング装置
２０    主制御部
２１    開閉検出部
２２    ＲＦ部
２３    無接点給電部
２４    給電制御部
２５    電源回路
２６    充電制御部
２７    内蔵電池
２８    周辺装置制御部
３０    主制御部
３１    タッチパネル
３２    ＲＦ部
３３    無接点受電部
３４    電源回路
３５    充電制御部
３６    内蔵電池
１００  ワイヤレス入出力端末
２００  携帯電話機
Ａ１，Ａ２  アンテナ
Ｃ１    給電用コイル
Ｃ２    受電用コイル
Ｔ１、Ｔ２  外部電源端子
Ｔ３    周辺装置接続端子
【図１】
2014064432.tif 000003
【図２】
2014064432.tif 000004
【図３】
2014064432.tif 000005
【図４】
2014064432.tif 000006
【図５】
2014064432.tif 000007
【図６】
2014064432.tif 000008
【図７】
2014064432.tif 000009
【図８】
2014064432.tif 000010
【図９】
2014064432.tif 000011
【図１０】
2014064432.tif 000012